(57)【要約】【課題】搬送ベルトに供給される記録媒体を搬送ベルトの外周面に確実にガイドすることができるとともに、記録媒体の先端を搬送ベルトに衝突させにくくすることができるインクジェット記録装置を提供する。【解決手段】記録媒体搬送手段ＣＶは、複数の搬送ベルトＶ１〜Ｖ５を搬送ベルトＶ１〜Ｖ５同士間に記録媒体Ｐの搬送方向Ｘとは直交する主走査方向Ｙに所定の隙間をあけて併設した構成を有し、搬送ベルトＶ１〜Ｖ５同士間に、少なくとも記録媒体Ｐを搬送ベルトＶ１〜Ｖ５の外周面に載置させる載置位置ＬＰから記録媒体Ｐの搬送方向Ｘの上流側に向けて配設され、記録媒体Ｐの載置面ＳＰを載置位置ＬＰにおける搬送ベルトＶ１〜Ｖ５の外周面にガイドする給紙ガイドＳＧを配設した。【選択図】  図１
2006264943.tif 000002
【特許請求の範囲】
【請求項１】
記録媒体を無端状の搬送ベルトの外周面に所定の載置位置で載置し、当該搬送ベルトを駆動して当該記録媒体を前記載置位置から搬送する記録媒体搬送手段と、該記録媒体搬送手段によって搬送される前記記録媒体の前記搬送ベルトに載置される載置面とは反対側の記録面にノズルからインク滴を吐出して記録を行う記録ヘッドとを備えたインクジェット記録装置であって、
前記記録媒体搬送手段は、複数の前記搬送ベルトを該搬送ベルト同士間に前記記録媒体の搬送方向とは直交する主走査方向に所定の隙間をあけて併設した構成を有し、
前記搬送ベルト同士間に、少なくとも前記載置位置から前記記録媒体の搬送方向の上流側に向けて配設され、前記記録媒体の前記載置面を前記載置位置における前記搬送ベルトの外周面にガイドする給紙ガイドを配設したことを特徴とするインクジェット記録装置。
【請求項２】
前記給紙ガイドは、前記記録媒体の前記載置面に接して当該載置面をガイドするガイド部が前記載置位置における前記複数の搬送ベルトの外周面と同等の高さになるように配設されていることを特徴とする請求項１に記載のインクジェット記録装置。
【請求項３】
前記記録媒体搬送手段は、少なくとも前記搬送方向の上流側から順に配設される第１のベルト軸及び第２のベルト軸間に、前記複数の搬送ベルトを張設した構成を有し、
前記第１のベルト軸は、前記複数の搬送ベルトのそれぞれが巻回されるベルト巻回部の間の部分が前記ベルト巻回部の太さよりも細く形成され、
前記給紙ガイドは、前記搬送方向の下流側の端部が前記第１のベルト軸よりもさらに前記搬送方向の上流から前記ベルト巻回部間に差し込まれるように配設されていることを特徴とする請求項１又は２に記載のインクジェット記録装置。
【請求項４】
前記記録媒体搬送手段の前記搬送方向の上流側に、前記記録媒体の前記載置面及び前記記録面のそれぞれに当接する第１のローラ及び第２のローラが当該記録媒体を挟持しつつ回転することによって当該記録媒体を前記記録媒体搬送手段に供給する記録媒体供給手段をさらに備え、
前記第１のローラは、前記搬送ベルト同士間に対応する部分が当該第１のローラの前記載置面に当接する当接ローラ部の太さよりも細く形成されて当該当接ローラ部間に隙間が形成され、
前記給紙ガイドは、前記搬送方向の上流側の端部が前記当接ローラ部間の前記記録媒体側の隙間に、少なくとも前記第１のローラ及び前記第２のローラが前記記録媒体を挟持する挟持位置まで挿通され、且つ前記第１のローラ及び前記第２のローラが前記記録媒体を挟持した状態で当該給紙ガイドが当該記録媒体の前記載置面より前記記録面側に突出しないように配設されていることを特徴とする請求項１乃至３のいずれか一項に記載のインクジェット記録装置。
【請求項５】
前記給紙ガイドは、前記第１のローラ及び前記第２のローラが前記記録媒体を挟持した状態で前記ガイド部が当該記録媒体の前記載置面に接するように配設されていることを特徴とする請求項４に記載のインクジェット記録装置。
【発明の詳細な説明】
【技術分野】
【０００１】
本発明は、記録媒体を搬送ベルトの外周面に載置させて搬送し、この記録媒体に記録ヘッドからインク滴を吐出して記録を行うようにしたインクジェット記録装置に関する。
【背景技術】
【０００２】
この種のインクジェット記録装置では、従来、記録用紙が帯電吸着される搬送ベルトとこの搬送ベルトに記録用紙を供給する一対の搬送ローラとの間に、搬送ローラから送り出された記録用紙を搬送ベルトにガイドする用紙ガイド部を配設した構成が知られている（例えば、特許文献１参照）。
また、用紙ガイド部を搬送ベルトの外周面上にオーバーハングさせて配設した構成も知られている（例えば、特許文献２参照）。
【特許文献１】特開平４−８３６４４号公報（第１図）
【特許文献２】特開平２−１７９７７３号公報（第３図）
【発明の開示】
【発明が解決しようとする課題】
【０００３】
しかしながら、上記特許文献１に記載された従来例では、用紙ガイド部と搬送ベルトとの間に、記録用紙の搬送方向における隙間を有している。
一方、記録用紙Ｐは、図９（ａ）に示すように、自重やくせなどにより先端部が下向きに湾曲する場合がある。このような場合、記録用紙Ｐが搬送ベルトＶに供給されると、記録用紙Ｐの先端部が用紙ガイドＧＤと搬送ベルトＶとの間の隙間に落ち込んでしまうおそれがある。
【０００４】
つまり、上記特許文献１に記載された従来例では、記録用紙Ｐの先端部が用紙ガイドＧＤと搬送ベルトＶとの間の隙間に落ち込んで給紙ミスを招き、紙詰りが発生するおそれがあるという未解決の課題や、記録用紙Ｐの先端部が用紙ガイドＧＤと搬送ベルトＶとの間の隙間に落ち込んだときにこの先端部が搬送ベルトＶに衝突し、記録用紙Ｐが図９（ｂ）に示すように、搬送方向に対して傾いた状態で搬送ベルトＶに供給される所謂用紙スキューが発生するおそれがあるという未解決の課題がある。
【０００５】
また、上記特許文献２に記載された従来例では、用紙ガイド部を搬送ベルトの外周面上にオーバーハングさせているため、用紙ガイド部と搬送ベルトの外周面との間に段差を生じることになり、用紙ガイドにガイドされてきた記録用紙は、この段差によって先端が搬送ベルトの外周面に衝突してから搬送ベルト上に横たえられる。
従って、上記特許文献２に記載された従来例では、記録用紙の先端が搬送ベルトの外周面に衝突することによって、記録用紙に用紙スキューを生じるおそれがあるという未解決の課題がある。
【０００６】
本発明は、上記従来例の未解決の課題に着目してなされたものであり、搬送ベルトに供給される記録媒体を搬送ベルトの外周面に確実にガイドすることができるとともに、この記録媒体の先端を搬送ベルトに衝突させにくくすることができるインクジェット記録装置を提供することを目的とする。
【課題を解決するための手段】
【０００７】
第１の発明は、記録媒体を無端状の搬送ベルトの外周面に所定の載置位置で載置し、当該搬送ベルトを駆動して当該記録媒体を前記載置位置から搬送する記録媒体搬送手段と、該記録媒体搬送手段によって搬送される前記記録媒体の前記搬送ベルトに載置される載置面とは反対側の記録面にノズルからインク滴を吐出して記録を行う記録ヘッドとを備えたインクジェット記録装置であって、前記記録媒体搬送手段は、複数の前記搬送ベルトを該搬送ベルト同士間に前記記録媒体の搬送方向とは直交する主走査方向に所定の隙間をあけて併設した構成を有し、前記搬送ベルト同士間に、少なくとも前記載置位置から前記記録媒体の搬送方向の上流側に向けて配設され、前記記録媒体の前記載置面を前記載置位置における前記搬送ベルトの外周面にガイドする給紙ガイドを配設したことを特徴とする。
【０００８】
この第１の発明では、記録媒体搬送手段が複数の搬送ベルトを主走査方向にこれら搬送ベルト同士間に所定の隙間をあけて併設した構成を有している。そして、この搬送ベルト同士間に、記録媒体の載置面を載置位置における搬送ベルトの外周面にガイドする給紙ガイドが、少なくとも載置位置から記録媒体の搬送方向上流側に向けて配設されている。
つまり、給紙ガイドが搬送ベルト同士間に載置位置から記録媒体の搬送方向上流に向かって延びているため、記録媒体搬送手段と給紙ガイドとは、記録媒体の搬送方向に隙間を有することなく連接している。従って、記録媒体を搬送ベルトの外周面に確実にガイドすることができる。
【０００９】
第２の発明は、第１の発明において、前記給紙ガイドは、前記記録媒体の前記載置面に接して当該載置面をガイドするガイド部が前記載置位置における前記複数の搬送ベルトの外周面と同等の高さになるように配設されていることを特徴とする。
この第２の発明では、給紙ガイドのガイド部と載置位置における複数の搬送ベルトの外周面とが同等の高さになっているため、記録媒体の先端を搬送ベルトの外周面に衝突させにくくすることができる。
【００１０】
第３の発明は、第１又は第２の発明において、前記記録媒体搬送手段は、少なくとも前記搬送方向の上流側から順に配設される第１のベルト軸及び第２のベルト軸間に、前記複数の搬送ベルトを張設した構成を有し、前記第１のベルト軸は、前記複数の搬送ベルトのそれぞれが巻回されるベルト巻回部の間の部分が前記ベルト巻回部の太さよりも細く形成され、前記給紙ガイドは、前記搬送方向の下流側の端部が前記第１のベルト軸よりもさらに前記搬送方向の上流から前記ベルト巻回部間に差し込まれるように配設されていることを特徴とする。
【００１１】
この第３の発明では、記録媒体搬送手段は、記録媒体の搬送方向の上流側から順に配設される第１のベルト軸及び第２のベルト軸を備えているとともに、これら第１及び第２のベルト軸間に複数の搬送ベルトを張設した構成を有している。また、第１のベルト軸は、ベルト巻回部の間の部分がベルト巻回部の太さよりも細く形成されている。そして、給紙ガイドは、搬送方向下流側の端部が第１のベルト軸よりもさらに上流からベルト巻回部間に差し込まれるように配設されている。
【００１２】
つまり、上記の構成により、給紙ガイドを、搬送ベルトが２本のベルト軸間に張設された構成を有する記録媒体搬送手段よりもさらに上流から搬送ベルト同士間に延長させて配設させることができる。
第４の発明は、第１乃至第３のいずれか一の発明において、前記記録媒体搬送手段の前記搬送方向の上流側に、前記記録媒体の前記載置面及び前記記録面のそれぞれに当接する第１のローラ及び第２のローラが当該記録媒体を挟持しつつ回転することによって当該記録媒体を前記記録媒体搬送手段に供給する記録媒体供給手段をさらに備え、前記第１のローラは、前記搬送ベルト同士間に対応する部分が当該第１のローラの前記載置面に当接する当接ローラ部の太さよりも細く形成されて当該当接ローラ部間に隙間が形成され、前記給紙ガイドは、前記搬送方向の上流側の端部が前記当接ローラ部間の前記記録媒体側の隙間に、少なくとも前記第１のローラ及び前記第２のローラが前記記録媒体を挟持する挟持位置まで挿通され、且つ前記第１のローラ及び前記第２のローラが前記記録媒体を挟持した状態で当該給紙ガイドが当該記録媒体の前記載置面より前記記録面側に突出しないように配設されていることを特徴とする。
【００１３】
この第４の発明では、給紙ガイドは、搬送方向上流側の端部が第１及び第２のローラ間の挟持位置まで当接ローラ部間の記録媒体側の隙間に挿通され、且つ第１及び第２のローラが記録媒体を挟持した状態で給紙ガイドがこの記録媒体の載置面より記録面側に突出しないように配設されている。
つまり、記録媒体供給手段と記録媒体搬送手段との間が給紙ガイドによって、記録媒体の搬送方向に隙間なく連接されているため、記録媒体を記録媒体供給手段から記録媒体搬送手段まで確実にガイドすることができる。
【００１４】
第５の発明は、第４の発明において、前記給紙ガイドは、前記第１のローラ及び前記第２のローラが前記記録媒体を挟持した状態で前記ガイド部が当該記録媒体の前記載置面に接するように配設されていることを特徴とする。
この第５の発明では、第１及び第２のローラが記録媒体を挟持した状態でガイド部がこの記録媒体の載置面に接するように給紙ガイドが配設されているので、記録媒体供給手段から送り出された記録媒体を給紙ガイドに衝突させにくくすることができる。
【発明を実施するための最良の形態】
【００１５】
本発明の実施形態を、ブラック色の記録を行うインクジェット記録装置を例に、図面に基づいて説明する。
本発明の実施形態におけるインクジェット記録装置１は、平面図である図１（ａ）及び正面図である図１（ｂ）に示すように、ゲートローラＧＲと、用紙帯電部ＥＣと、給紙ガイドＳＧと、用紙搬送部ＣＶと、記録ヘッドＨＤと、排紙部ＥＪとを備えている。なお、この図１（ａ）及び図１（ｂ）において、Ｘ方向は、記録用紙Ｐの搬送方向を示し、Ｙ方向は、Ｘ方向と直交する主走査方向を示している。
【００１６】
また、インクジェット記録装置１は、ブロック図である図２に示すように、給紙部ＫＳと、用紙搬送部ＣＶを駆動する搬送部駆動モーターＭｏと、外部機器からの記録情報を格納する記録情報格納部ＢＦと、をさらに備えている。
このインクジェット記録装置１は、記録の際に、記録ヘッドＨＤの移動をともなわずに記録を完了する所謂ライン型インクジェット記録装置である。
【００１７】
ここで、上記の各構成の詳細を説明する。
用紙搬送部ＣＶは、平面図である図３（ａ）に示すように、搬送部駆動モーターＭｏから動力が伝達される駆動ローラＤＳと、駆動ローラＤＳのＸ方向上流側に配設される従動ローラＦＳとの間に、搬送ベルトＶ１〜Ｖ５を張設した構成を有している。
搬送ベルトＶ１〜Ｖ５は、図３（ａ）に示すように、駆動ローラＤＳ及び従動ローラＦＳ上に設けられたフランジ部ＦＬによってＹ方向の位置が規制され、これら搬送ベルトＶ１〜Ｖ５同士の間が所定間隔Ｈ（以下、ベルト間隔Ｈと呼ぶ）に保たれている。
【００１８】
また、従動ローラＦＳは、用紙搬送部ＣＶの正面図である図３（ｂ）に示すように、軸受（図示せず）を介して筐体（図示せず）に回転可能に保持される回転軸ＫＪと、搬送ベルトＶ１〜Ｖ５のそれぞれが巻回されるローラ部ＲＢとで構成されている。
なお、フランジ部ＦＬの厚みは、記録用紙Ｐの搬送が妨げられないように搬送ベルトＶ１〜Ｖ５の厚みより薄く設定されている。
【００１９】
上記の構成を有する用紙搬送部ＣＶは、搬送ベルトＶ１〜Ｖ５を図３（ｂ）で見て反時計方向に回転させるように駆動ローラＤＳが搬送部駆動モーターＭｏによって駆動され、従動ローラＦＳ上の載置位置ＬＰで搬送ベルトＶ１〜Ｖ５の外周面上に載置された記録用紙Ｐを、Ｘ方向に駆動ローラＤＳ上までの搬送区間ＣＳを搬送する。
記録ヘッドＨＤは、底面図である図４に示すように、ブラック色のインク滴を吐出するノズルＮＺがＹ方向に所定間隔で距離ＫＲに亘って形成されている。インクジェット記録装置１では、距離ＫＲに亘って配列形成されたノズルＮＺによって構成されるノズル列が、Ｙ方向における記録可能領域となる。
【００２０】
なお、この図４において、構成をわかりやすく示すため、ノズルＮＺの大きさを誇張して且つ個数を減じて図示している。また、図４における符号ＮＺＰは、記録ヘッドＨＤのノズルＮＺが形成されている面であるノズル面を示している。
この記録ヘッドＨＤは、図１（ａ）及び（ｂ）に示すように、用紙搬送部ＣＶ上でノズル面ＮＺＰを記録用紙Ｐの記録面ＰＰに向けて、ノズル面ＮＺＰと記録面ＰＰとの間に所定のギャップを保って、且つノズル列が記録用紙ＰをＹ方向にまたぐように配設されている。
【００２１】
また、記録ヘッドＨＤとしては、圧電素子、加熱素子等によりインクに圧力を付与してインク滴を吐出する記録ヘッドを採用することができる。
上記の構成を有する記録ヘッドＨＤは、外部機器からの記録情報に基づいて、多数のノズルＮＺから選択的にインク滴を吐出させて記録を行う。
図２に示す給紙部ＫＳは、ゲートローラＧＲのＸ方向上流側に配設され、記録用紙Ｐが格納されている図示しない用紙カセット、用紙トレイ等から記録用紙Ｐを１枚ずつ後述するゲートローラＧＲに供給する。
【００２２】
ゲートローラＧＲは、図１（ａ）及び（ｂ）に示すように、用紙搬送部ＣＶのＸ方向上流側に配設され、記録用紙Ｐの記録面ＰＰ及びこの記録面ＰＰとは反対側の面である載置面ＳＰのそれぞれに当接して記録用紙Ｐを挟持しつつ回転可能に構成された一対のローラを備えている。このゲートローラＧＲは、給紙部ＫＳによって記録用紙Ｐが一対のローラ間に突き当てられるように供給されると、この記録用紙ＰのＸ方向に対する傾き及びＹ方向の位置ずれを矯正するスキュー補正を行ってから、この記録用紙Ｐを用紙搬送部ＣＶに供給する。
【００２３】
用紙帯電部ＥＣは、例えば、コロナ放電を利用して誘電体を帯電させるコロトロンなどで構成され、図１（ａ）及び図１（ｂ）に示すように、用紙搬送部ＣＶのＸ方向上流側で帯電側を記録用紙Ｐの記録面ＰＰに向けて配設されている。
この用紙帯電部ＥＣは、図１（ａ）に示すように、記録用紙ＰをＹ方向にまたぐ長さを有している。そして、この用紙帯電部ＥＣは、ゲートローラＧＲから用紙搬送部ＣＶへ供給される記録用紙Ｐを、ゲートローラＧＲと用紙搬送部ＣＶとの間で帯電させる。
【００２４】
用紙帯電部ＥＣによって帯電された記録用紙Ｐは、搬送ベルトＶ１〜Ｖ５への吸着力が発生し、図１（ｂ）に示すように、載置面ＳＰが後述する給紙ガイドＳＧによってガイドされて搬送ベルトＶ１〜Ｖ５の外周面上に吸着する。
給紙ガイドＳＧは、平面図である図５（ａ）及び正面図である図５（ｂ）に示すように、ガイド基部ＧＢのＸ方向下流側の側縁から４本の給紙ガイド部ＳＢがＸ方向下流側に延伸された構成を有している。これらのガイド基部ＧＢ及び給紙ガイド部ＳＢの上側の面には、図５（ｂ）に示すように、一連のガイド面ＧＰが形成されている。
【００２５】
この給紙ガイドＳＧは、図１（ａ）に示すように、従動ローラＦＳの回転軸ＫＪ上で各給紙ガイド部ＳＢが従動ローラＦＳのローラ部ＲＢ間つまり搬送ベルトＶ１〜Ｖ５間に、用紙搬送部ＣＶのＸ方向上流側からＸ方向下流側に載置位置ＬＰをまたぐように挿入されて配設されている。また、ガイド基部ＧＢのＹ方向の長さは、図１（ａ）に示すように、記録用紙ＰのＹ方向における幅をまたぐ長さに設定されている。
【００２６】
そして、給紙ガイドＳＧは、図１（ｂ）に示すように、ゲートローラＧＲから送り出される記録用紙Ｐの載置面ＳＰをガイド面ＧＰで搬送ベルトＶ１〜Ｖ５の外周面上へガイドする。
給紙ガイドＳＧによってガイドされる記録用紙Ｐは、載置位置ＬＰで搬送ベルトＶ１〜Ｖ５の外周面上に吸着載置される。
【００２７】
ここで、給紙ガイドＳＧは、図１（ｂ）中のＡ−Ａ断面図である図６に示すように、給紙ガイドＳＧのガイド面ＧＰと用紙搬送部ＣＶの搬送区間ＣＳ内の搬送ベルトＶ１〜Ｖ５の外周面とが同一平面をなすように配設されている。つまり、記録用紙Ｐは、給紙ガイドＳＧのガイド面ＧＰによって搬送区間ＣＳ内の搬送ベルトＶ１〜Ｖ５の外周面と同一平面上をガイドされ、載置位置ＬＰで搬送ベルトＶ１〜Ｖ５の外周面上に到達する。なお、この図６では、構成をわかりやすく示すため、用紙帯電部ＥＣ及びゲートローラＧＲを省略して図示している。
【００２８】
また、給紙ガイドＳＧのガイド基部ＧＢは、図５（ｂ）に示すように、Ｘ方向上流側の端部にこの図で見て上に凸の円弧が形成され、Ｘ方向上流側の側縁部がやや下向きになっている。これは、ゲートローラＧＲによって送り出される記録用紙Ｐの先端がガイド基部ＧＢのＸ方向上流側の側面に衝突することを避けるためである。
排紙部ＥＪは、図１（ｂ）に示すように、用紙搬送部ＣＶのＸ方向下流側に配設され、記録用紙Ｐの記録面ＰＰに外周が接する拍車ローラＳＲと、記録用紙Ｐの載置面ＳＰに外周が接する送出ローラＣＲとで構成されている。この排紙部ＥＪは、用紙搬送部ＣＶによって搬送されてきた記録用紙Ｐを拍車ローラＳＲ及び送出ローラＣＲ間に挟んだ状態で送出ローラＣＲが回転することによって、この記録用紙Ｐをインクジェット記録装置１外へ排出する。
【００２９】
上述した構成を有するインクジェット記録装置１は、図２に示すように、ＣＰＵから給紙指令を受けた給紙制御部ＫＳＤが給紙部ＫＳを制御し、この給紙部ＫＳによって記録用紙ＰがゲートローラＧＲに供給される。
このとき、搬送部駆動モーターＭｏは、ＣＰＵから搬送部駆動指令を受けたモーター制御部ＭＤによって、搬送ベルトＶ１〜Ｖ５を図１（ｂ）で見て反時計方向に回転させるように駆動が制御される。
【００３０】
記録用紙Ｐが供給されたゲートローラＧＲは、図２に示すように、所定のタイミングでＣＰＵから用紙供給指令を受けたゲートローラ制御部ＧＲＤによって駆動が制御され、記録用紙Ｐをスキュー補正してから用紙搬送部ＣＶに供給する。
このとき、記録用紙Ｐは、ＣＰＵから用紙帯電指令を受けた用紙帯電制御部ＥＣＤが制御する用紙帯電部ＥＣによって帯電されて搬送ベルトＶ１〜Ｖ５への吸着力が発生し、図１（ｂ）に示すように、載置面ＳＰが給紙ガイドＳＧによってガイドされて載置位置ＬＰでこれら搬送ベルトＶ１〜Ｖ５の外周面に吸着載置される。
【００３１】
搬送ベルトＶ１〜Ｖ５に吸着載置された記録用紙Ｐは、図１（ｂ）に示すように、記録ヘッドＨＤ下で記録面ＰＰを記録ヘッドＨＤのノズル面ＮＺＰに対向させながら、搬送区間ＣＳをＸ方向に搬送される。
このとき、記録ヘッドＨＤは、図２に示すように、ＣＰＵから記録指令を受けた記録ヘッド制御部ＨＤＤによって制御され、外部機器からの記録情報に基づいて、記録用紙Ｐの記録面ＰＰに向けて多数のノズルＮＺから選択的にインク滴を吐出させて記録を行う。
【００３２】
そして、記録用紙Ｐは、図１（ｂ）に示すように、搬送区間ＣＳを通過すると、排紙部ＥＪの拍車ローラＳＲ及び送出ローラＣＲ間に導かれる。
このとき、排紙部ＥＪは、図２に示すように、ＣＰＵから排紙指令を受けた排紙制御部ＥＪＤによって制御され、拍車ローラＳＲ及び送出ローラＣＲ間に導かれてきた記録用紙Ｐをインクジェット記録装置１外へ排出する。
【００３３】
なお、本実施形態において、用紙搬送部ＣＶが記録媒体搬送手段に対応し、従動ローラＦＳが第１のベルト軸に対応し、駆動ローラＤＳが第２のベルト軸に対応し、ローラ部ＲＢがベルト巻回部に対応し、ガイド面ＧＰがガイド部に対応している。
本実施形態のインクジェット記録装置１では、従動ローラＦＳ及び駆動ローラＤＳ間に搬送ベルトＶ１〜Ｖ５をＹ方向に互いにベルト間隔Ｈを保って張設した構成を有する用紙搬送部ＣＶと、この用紙搬送部ＣＶに記録用紙Ｐを供給するゲートローラＧＲとの間に、記録用紙Ｐの載置面ＳＰを搬送区間ＣＳ内の搬送ベルトＶ１〜Ｖ５の外周面上にガイドする給紙ガイドＳＧが配設されている。
【００３４】
この給紙ガイドＳＧは、ガイド基部ＧＢのＸ方向下流側の側縁からＸ方向下流側に延伸する給紙ガイド部ＳＢが従動ローラＦＳの回転軸ＫＪ上でローラ部ＲＢ間すなわち搬送ベルトＶ１〜Ｖ５間に、従動ローラＦＳのＸ方向上流側からＸ方向下流側に載置位置ＬＰをまたぐように差し込まれて配設されている。また、給紙ガイドＳＧは、ガイド面ＧＰが搬送区間ＣＳ内の搬送ベルトＶ１〜Ｖ５の外周面と同等の高さになるように配設されている。
【００３５】
つまり、用紙搬送部ＣＶと給紙ガイドＳＧとは、Ｘ方向に隙間を有することなく、且つ搬送区間ＣＳ内の搬送ベルトＶ１〜Ｖ５の外周面とガイド面ＧＰとの間に段差を有することなく連接している。
従って、給紙ミスや紙詰りを招くことなく、且つ記録用紙Ｐの先端を搬送ベルトＶ１〜Ｖ５の外周面に衝突させることなく、記録用紙Ｐを搬送区間ＣＳ内の搬送ベルトＶ１〜Ｖ５の外周面に確実にガイドすることができ、用紙スキューの発生を抑制することが可能となる。
【００３６】
また、給紙ガイドＳＧの給紙ガイド部ＳＢを従動ローラＦＳの回転軸ＫＪ上でローラ部ＲＢ間に挿入するという小型且つ簡易な構成で記録用紙Ｐを搬送ベルトＶ１〜Ｖ５の外周面にガイドすることができるため、インクジェット記録装置１の小型化や低コスト化が図られる。
また、給紙ガイドＳＧのガイド基部ＧＢが記録用紙ＰをＹ方向にまたぐ長さに設定されているため、ガイド基部ＧＢがゲートローラＧＲから送り出された記録用紙Ｐをこの記録用紙ＰのＹ方向における全幅で受け取ることが可能となり、ゲートローラＧＴと給紙ガイドＳＧとの間での給紙ミスや紙詰りの発生を避けやすくすることが可能となる。
【００３７】
また、ガイド基部ＧＢは、Ｘ方向上流側の端部に上に凸の円弧が形成され、Ｘ方向上流側の側縁部が載置面ＳＰより下側に向いている。従って、記録用紙Ｐの先端がガイド基部ＧＢのＸ方向上流側の側面に接触することによって記録用紙Ｐの搬送が阻害されてしまうことを避けやすくすることができる。
なお、本実施形態では、記録用紙Ｐを帯電させてこの記録用紙Ｐを搬送ベルトＶ１〜Ｖ５の外周面上に吸着させるようにしたが、これに限定されず、搬送ベルトＶ１〜Ｖ５を帯電させるようにしてもよく、また、記録用紙Ｐ及び搬送ベルトＶ１〜Ｖ５の両方を、互いに逆極性に帯電させるようにしてもよい。また、記録品質が損なわれなければ、記録用紙Ｐ及び搬送ベルトＶ１〜Ｖ５のいずれも帯電させることなくすなわち記録用紙Ｐを搬送ベルトＶ１〜Ｖ５の外周面上に吸着させることなく、記録用紙Ｐを搬送ベルトＶ１〜Ｖ５の外周面上に載置させるようにしてもよい。
【００３８】
また、本実施形態では、用紙搬送部ＣＶが５本の搬送ベルトＶ１〜Ｖ５を備えた場合を例に説明したが、搬送ベルトの本数はこれに限定されず、２本以上の任意の本数とすることができ、これに応じて給紙ガイドＳＧの給紙ガイド部ＳＢの本数を変更すればよい。
また、本実施形態では、給紙ガイドＳＧがガイド基部ＧＢのＸ方向下流側の側縁からＸ方向下流側に延伸する給紙ガイド部ＳＢを備えた構成としたが、給紙ガイドＳＧはこれに限定されず、図７（ａ）に示すように、ガイド基部ＧＢのＸ方向上流側の側縁からＸ方向上流側に延伸する送出ガイド部ＥＧをさらに備えた構成としてもよい。この場合、ゲートローラＧＲは、図７（ｂ）に示すように、上ローラＧＲｕと下ローラＧＲｄとに区別される。
【００３９】
下ローラＧＲｄは、図７（ｂ）中のＢ−Ｂ断面図である図８（ａ）に示すように、回転軸ＴＪにこの回転軸ＴＪより太い外径を有する５つの当接ローラ部ＦＲを、これら当接ローラ部ＦＲ間に隙間をあけて配設した構成を有している。そして、給紙ガイドＳＧの送出ガイド部ＥＧは、図８（ａ）中のＣ−Ｃ断面図である図８（ｂ）に示すように、上ローラＧＲｕ及び下ローラＧＲｄが記録用紙Ｐを挟持する位置である挟持位置ＮＰを回転軸ＴＪ上でまたいで当接ローラ部ＦＲ間に挿入されている。
【００４０】
また、この送出ガイド部ＥＧは、図８（ｂ）に示すように、ガイド面ＧＰが挟持位置ＮＰで当接ローラ部ＦＲの外周と同等の高さになるように厚みが設定されている。
なお、この構成では、ゲートローラＧＲが記録媒体供給手段に対応し、下ローラＧＲｄが第１のローラに対応し、上ローラＧＲｕが第２のローラに対応している。
この構成によれば、ゲートローラＧＲと給紙ガイドＳＧとの間が送出ガイド部ＥＧによってＸ方向に隙間なく連接されているため、ゲートローラＧＲから送り出される記録用紙Ｐを、給紙ガイドＳＧに衝突させることなく搬送区間ＣＳ内の搬送ベルトＶ１〜Ｖ５の外周面上に良好にガイドすることが可能となる。
【００４１】
また、本実施形態では、ブラック色の記録を行うライン型インクジェット記録装置を例に説明したが、色の種類はこれに限定されず、これにマゼンタ色、シアン色及びイエロー色を加えた４種類、さらに、ライトシアン色及びライトマゼンタ色を加えた６種類等、任意の種類の色を適用することができる。
また、本実施形態では、一体に形成された記録ヘッドＨＤでＹ方向における記録可能領域を構成する場合を例に説明したが、これに限定されず、小さく分割された記録ヘッドを複数個配列してＹ方向における記録可能領域を構成するようにしてもよい。
【００４２】
また、本実施形態では、記録ヘッドＨＤを、ノズルＮＺの配列方向をＹ方向に向けて配設するようにしたが、これに限定されず、Ｘ方向と交差する任意の方向に向けて配設するようにしてもよい。この場合、記録用紙Ｐの搬送方向から見たノズルピッチを短く設定することができ、Ｙ方向における記録解像度を高めることが可能となる。
また、記録媒体は記録用紙Ｐに限らず、インク滴が付着してドットを形成できるものであれば、任意の記録媒体を適用することができる。
【００４３】
また、本実施形態では、ライン型インクジェット記録装置を例に説明したが、これに限定されず、記録ヘッドを記録用紙Ｐの搬送方向に直交するＹ方向に走査させながら記録を行うシリアル型インクジェット記録装置に適用することもできる。
【図面の簡単な説明】
【００４４】
【図１】本発明の実施形態におけるインクジェット記録装置の主要構成を示す外観図。
【図２】本発明の実施形態におけるインクジェット記録装置の主要部の制御のつながりを示すブロック図。
【図３】本発明の実施形態におけるインクジェット記録装置の用紙搬送部を説明する図。
【図４】本発明の実施形態におけるインクジェット記録装置の記録ヘッドの構成を説明する図。
【図５】本発明の実施形態におけるインクジェット記録装置の給紙ガイドを説明する図。
【図６】図１（ｂ）中のＡ−Ａ断面図。
【図７】本発明の実施形態におけるインクジェット記録装置の給紙ガイドの他の構成を説明する図。
【図８】本発明の実施形態におけるインクジェット記録装置の給紙ガイドの他の構成の送出ガイド部を説明する図。
【図９】従来例における課題を説明する図。
【符号の説明】
【００４５】
１…インクジェット記録装置、ＨＤ…記録ヘッド、ＣＶ…用紙搬送部、ＤＳ…駆動ローラ、ＦＳ…従動ローラ、Ｖ１〜Ｖ５…搬送ベルト、ＬＰ…載置位置、ＳＧ…給紙ガイド、ＧＰ…ガイド面、ＧＲ…ゲートローラ、ＧＲｕ…上ローラ、ＧＲｄ…下ローラ、ＦＲ…当接ローラ部、ＮＰ…挟持位置
【図１】
2006264943.tif 000003
【図２】
2006264943.tif 000004
【図３】
2006264943.tif 000005
【図４】
2006264943.tif 000006
【図５】
2006264943.tif 000007
【図６】
2006264943.tif 000008
【図７】
2006264943.tif 000009
【図８】
2006264943.tif 000010
【図９】
2006264943.tif 000011